(57)【特許請求の範囲】
【請求項１】
容器本体の上端部にマウンテンカップが一体として接合されており、該マウンテンカップのカール状接合部との間に環状凹部を介在させて該マウンテンカップの中央部分に設けられた中央円形台の中央部から突出するステムに、吐出口を備えるスパウト部材を付け替え可能に装着して用いるエアゾール付け替え容器であって、
前記環状凹部に嵌め込まれる環状脚部と、該環状脚部の上端部から内側に延設して前記中央円形台の上面部の前記ステムよりも外側部分を覆って配置される押圧規制張出部とを備えるストローク規制部材が、前記環状脚部を前記環状凹部に嵌め込んで前記マウンテンカップに取り付けられており、
前記スパウト部材の縦方向流路部を囲んで設けられた筒状壁の下端を前記押圧規制張出部に当接させることで、前記スパウト部材の押圧ストロークを規制するエアゾール付け替え容器。
【請求項２】
前記環状脚部の上端部から上方に立設して、前記ステムを囲う環状防護壁が前記ステムを超える高さで設けられている請求項１記載のエアゾール付け替え容器。
【請求項３】
前記環状脚部の上端部周縁に、破断可能なヒンジ結合部を介して前記ステムを覆う保護キャップが回動可能に連結している請求項１又は２記載のエアゾール付け替え容器。
【請求項４】
前記ヒンジ結合部は、破断された後に前記マウンテンカップのカール状接合部よりも外側にはみ出さない状態で取り付けられている請求項３記載のエアゾール付け替え容器。
【請求項５】
全体がシュリンクフィルムによって覆われて製品化されている請求項１〜４のいずれか１項記載のエアゾール付け替え容器。
【発明の詳細な説明】
【技術分野】
【０００１】
本発明は、エアゾール付け替え容器に関し、特に、マウンテンカップの中央部から突出するステムに、吐出口を備えるスパウト部材を付け替え可能に装着して用いるエアゾール付け替え容器に関する。
【背景技術】
【０００２】
エアゾール容器は、容器本体に収容した内容液を、例えば噴射剤によるガスの圧力を利用して吐出させるものであり、ガスの圧力に強固に耐えることができるように、容器本体の上端部にカール状接合部を介してマウンテンカップを強固に接合一体化した構造を備えている。マウンテンカップは、カール状接合部との間に環状凹部を介在させて中央部分に設けられた中央円形台の中央部から、ステムを突出させるようになっており、ステムは、中央円形台の裏側に取着されたバルブ内蔵部のバネの作用によって、付勢された状態で上方に突出している。
【０００３】
エアゾール容器は、一般に、例えば容器本体とマウンテンカップとのカール状接合部に係合させて、吐出口を備えるスパウト部材を上下動可能に配設した肩カバーを取り付けると共に、スパウト部材の下端部をステムと連通し、ステムの付勢力に抗してスパウト部材を押し下げることによって、吐出口から内容液を吐出させるようになっている（例えば、特許文献１参照）。特許文献１のエアゾール容器では、スパウト部材に設けたストッパピンを、スパウト部材の回転によって、肩カバーに設けたロック溝に係脱できるようになっており、ストッパピンをロック溝のロック位置に係合させた状態で、スパウト部材の押し下げを阻止する。また、特許文献１のエアゾール容器では、スパウト部材の押し下が可能な位置においても、ストッパピンがロック溝の最下部に突き当たることで、スパウト部材やステムが過度に押し下げられるの回避できる。
【先行技術文献】
【特許文献】
【０００４】
【特許文献１】特開２００４−９７８８９号公報
【発明の概要】
【発明が解決しようとする課題】
【０００５】
一方、近年、エアゾール容器として、スパウト部材を別部品としたものが製品化されている。このようなエアゾール容器では、使用者は、エアゾール容器のステムに、スパウト部材を付け替え可能に装着して用いるようになっているが、使用者によって付け替え可能に装着されるスパウト部材は、一般に簡単な構成を備えており、スパウト部材の押し下げを阻止したり過度に押し下げられるのを回避するためのロック機構が設けられていないことが多い。
【０００６】
このため、スパウト部材を付け替え可能に装着して用いるエアゾール付け替え容器では、スパウト部材をステムに装着した後に、例えば落下時の衝突による衝撃によって、スパウト部材に過大な押圧力が加わると、スパウト部材を介してステムが、内容液を吐出させるのに必要なストロークを超えて過度に押圧されたり、マウンテンカップがスパウト部材の下端部によって強く押圧されて変形する場合がある。ステムが必要なストロークを超えて過度に押圧されたり、マウンテンカップが衝撃により変形すると、例えばバルブ内蔵部でステムの噛み込みが生じて、ステムが元に戻らなくなるステムロックが発生し、内容液を吐出させ続けることになるといった不具合が生じることになる。
【０００７】
本発明は、ステムに装着されたスパウト部材に衝撃等によって過大な押圧力が加わっても、ステムが必要なストロークを超えて過度に押圧されたり、マウンテンカップが変形するのを効果的に回避することのできるエアゾール付け替え容器を提供することを目的とする。
【課題を解決するための手段】
【０００８】
本発明は、容器本体の上端部にマウンテンカップが一体として接合されており、該マウンテンカップのカール状接合部との間に環状凹部を介在させて該マウンテンカップの中央部分に設けられた中央円形台の中央部から突出するステムに、吐出口を備えるスパウト部材を付け替え可能に装着して用いるエアゾール付け替え容器であって、前記環状凹部に嵌め込まれる環状脚部と、該環状脚部の上端部から内側に延設して前記中央円形台の上面部の前記ステムよりも外側部分を覆って配置される押圧規制張出部とを備えるストローク規制部材が、前記環状脚部を前記環状凹部に嵌め込んで前記マウンテンカップに取り付けられており、前記スパウト部材の縦方向流路部を囲んで設けられた筒状壁の下端を前記押圧規制張出部に当接させることで、前記スパウト部材の押圧ストロークを規制するエアゾール付け替え容器を提供することにより、上記目的を達成したものである。
【発明の効果】
【０００９】
本発明のエアゾール付け替え容器によれば、ステムに装着されたスパウト部材に衝撃等によって過大な押圧力が加わっても、ステムが必要なストロークを超えて過度に押圧されたり、マウンテンカップが変形するのを効果的に回避することができる。
【図面の簡単な説明】
【００１０】
【図１】（ａ）、（ｂ）は、本発明の好ましい一実施形態に係るエアゾール付け替え容器の要部略示断面図である。
【図２】本発明の好ましい一実施形態に係るエアゾール付け替え容器の、スパウト部材を取り付ける前の流通、販売時の状態を示す略示断面図である。
【図３】（ａ）〜（ｃ）は、保護キャップを取り外してスパウト部材を取り付ける状況を説明する要部略示断面図である。
【図４】本発明の好ましい他の実施形態に係るエアゾール付け替え容器の流通、販売時の要部略示断面図である。
【図５】（ａ）、（ｂ）は、他の形態のエアゾール付け替え容器を説明する要部略示断面図である。
【発明を実施するための形態】
【００１１】
図１（ａ）、（ｂ）及び図２に示す本発明の好ましい一実施形態に係るエアゾール付け替え容器１０は、内容物として例えば薬剤、洗浄剤等を噴射剤と共に封入し、好ましくは容器本体１１を把持して振った後に、ステム１２と連通して取り付けられたスパウト部材１３の押圧ヘッド部１４を押し下げることで、押圧ヘッド部１４と一体となった吐出ノズル部１５の吐出口１５ａから内容物を吐出させる。本実施形態では、エアゾール付け替え容器１０は、エアゾール容器として使用される前の例えば流通、販売時においては、スパウト部材１３は取り付けられておらず（図２参照）、これを購入した使用者が、スパウト部材１３を好ましくは肩カバー１６と共に取り付けて使用する。また、本実施形態のエアゾール付け替え容器１０は、ステム１２に装着されたスパウト部材１３に落下時の衝撃等による過大な押圧力が加わっても、ステム１２が必要なストロークを超えて過度に押圧されたり、マウンテンカップ１７がスパウト部材１３の下端部によって強く押圧されて変形しないようにして、例えばステムロックが発生して内容液を吐出させ続けることになるのを効果的に防止できる機能を備える。
【００１２】
そして、本実施形態のエアゾール付け替え容器１０は、容器本体１１の上端部にマウンテンカップ１７が一体として接合されており、マウンテンカップ１７のカール状接合部１７ａとの間に環状凹部１７ｂを介在させてマウンテンカップ１７の中央部分に設けられた中央円形台１７ｃの中央部から突出するステム１２に、吐出口１５ａを備えるスパウト部材１３を付け替え可能に装着して用いるエアゾール容器である。エアゾール付け替え容器１０は、環状凹部１７ｂに嵌め込まれる環状脚部１８ａと、環状脚部１８ａの上端部から内側に延設して中央円形台１７ｃの上面部のステム１２よりも外側部分を覆って配置される押圧規制張出部１８ｂとを備えるストローク規制部材１８が、環状脚部１８ａを環状凹部１７ｂに嵌め込んでマウンテンカップ１７に取り付けられており、スパウト部材１３の縦方向流路部１９を囲んで設けられた筒状壁２０の下端２０ａを押圧規制張出部１８ｂに当接させることで、スパウト部材１３の押圧ストロークを規制するようになっている（図１（ｂ）参照）。
【００１３】
また、本実施形態では、エアゾール付け替え容器１０は、図２に示すように、例えば流通、販売時においては、ストローク規制部材１８の環状脚部１８ａの上端部周縁に、破断可能なヒンジ結合部２１を介してステム１２を覆う保護キャップ２２が回動可能に連結して取り付けられており（図３（ａ），（ｂ）参照）、さらに好ましくは容器本体１１及び保護キャップ２２の全体がシュリンクフィルム２３によって一体として覆われて製品化されている。
【００１４】
本実施形態では、エアゾール付け替え容器１０の容器本体１１は、好ましくはアルミニウム板やスチール板等からなる金属製の中空ボトル形状の耐圧容器であって、その上端部の開口部には、当該開口部を封止するマウンテンカップ１７が、カール状接合部１７ａを介して一体として固定されている。
【００１５】
マウンテンカップ１７は、中央円形台１７ｃの内側にバルブ内蔵部（図示せず）を備える公知のものであり、バルブ内蔵部の内部に設けられたバネの作用によって上方に付勢された状態で、中央円形台１７ｃの中央部からステム１６が突出している。マウンテンカップ１７には、カール状接合部１７ａと中央円形台１７ｃとの間に介在して、環状凹部１７ｂが形成されている。この環状凹部１７ｂに環状脚部１８ａを着脱可能に嵌め込むことで、ストローク規制部材１８が、エアゾール付け替え容器１０の容器本体１１に一体として取り付けられる。
【００１６】
ストローク規制部材１８は、合成樹脂製の成形品であって、円環帯板形状の天面板部１８ｃと、天面板部１８ｂと同心状に配置された内外一対のリング状スカート片２４ａ，２４ｂからなる環状脚部１８ａとによって構成される。また天面板部１８ｃの内側部分が、内側リング状スカート片２４ａよりもさらに内側に張り出すことで、押圧規制張出部１８ｂが形成されている。例えば内側リング状スカート片２４ａや外側リング状スカート片２４ｂを僅かに弾性変形させつつ、内側リング状スカート片２４ａを環状凹部１７ｂの内側の面に沿わせると共に、外側リング状スカート片２４ｂを環状凹部１７ｂの外側の面に沿わせながら、各リング状スカート片２４ａ，２４ｂの下端が環状凹部１７ｂの底部に当接するまで環状脚部１８ａを環状凹部１７ｂに押し込むことによって、ストローク規制部材１８が、容器本体１１に一体として取り付けられる。これによって、ストローク規制部材１８の押圧規制張出部１８ｂが、マウンテンカップ１７の中央円形台１７ｃの上面部のステム１２よりも外側部分を覆って配置されることになる。
【００１７】
また、本実施形態では、エアゾール付け替え容器１０の使用前は、ステム１２を覆う保護キャップ２２が取り付けられている。保護キャップ２２は、図３（ａ）、（ｂ）にも示すように、合成樹脂製の成形品であって、ステム１２及びストローク規制部材１８の天面板部１８ｃを上方から覆うことが可能な大きさの、略つば付き帽子形状に形成される。保護キャップ２２は、破断可能なヒンジ結合部２１として、好ましくは薄肉ヒンジ部を介してストローク規制部材１８の環状脚部１８ａの上端部周縁に回動可能に連結されている。ヒンジ結合部２１は、その破断部分が、破断された後にマウンテンカップ１７のカール状接合部１７ａよりも径方向外側にみ出さない状態で設けられている。これによって、エアゾール付け替え容器１０にスパウト部材１３を肩カバー１６と共に装着する際の邪魔にならないようになっている。
【００１８】
そして、本実施形態では、エアゾール付け替え容器１０を購入した使用者は、例えば容器１０を覆うシュリンクフィルム２３を取り除くと共に、薄肉ヒンジ部２１を破断させて保護キャップ２２を取り除いた後に、図３（ｃ）に示すように、別部品としてのスパウト部材１３を、肩カバー１６と共に、マウンテンカップ１７のカール状接合部１７ａを介して容器本体１１に付け替え可能に取り付けて、容器１０を使用する。
【００１９】
ここで、本実施形態では、エアゾール付け替え容器１０の容器本体１１に取り付けられるスパウト部材１３及び肩カバー１６は、付け替え用のスパウト部材や肩カバーとして従来から用いられている公知のものである。例えば図１（ａ）、（ｂ）にも示すように、肩カバー１６は、内カバー２５ａ及び外カバー２５ｂが接合一体化された２重構造を備えている。また肩カバー１６は、中央部から径方向外側に向けて僅かに下方に傾斜した円盤形状の肩部１６ａと、肩部１６ａの周縁部から下方に延設する円筒形状の円環状スカート部１６ｂとからなり、例えば円環状スカート部１６ｂの下端部内側面に設けた係止リブ１６ｃをマウンテンカップ１７のカール状接合部１７ａに係着することで、容器本体１１にスパウト部材１３及び肩カバー１６を容易に装着することができる。肩カバー１６の肩部１６ａの中央部から下方に延設して、スパウト摺動ガイド部１６ｄが設けられている。このスパウト摺動ガイド部１６ｄに円筒状の筒状壁２０を摺動可能に挿入することで、スパウト部材１３が肩カバー１６に対して上下動可能に一体として取り付けられる。
【００２０】
スパウト部材１３は、マウンテンカップ１７のステム１２と連通してステム１２から噴出される内容物を所定の方向に誘導した後に吐出口１５ａから吐出させる部材であって、内部に縦方向流路２６ａが形成された縦方向流路部１９と、内部に横方向流路２６ｂが形成された吐出ノズル部１５とを含んで構成される。縦方向流路部１９と吐出ノズル部１５との交叉接合部分の上部が、押圧ヘッド部１４となっている。また押圧ヘッド部１４から下方に延設して、縦方向流路部１９の外側にこれと同心状に配置された筒状壁２０が、下端部を縦方向流路部１９の下端部よりも下方に突出させた状態で設けられている。縦方向流路部１９の下端部には、縦方向流路２６ａの入口となる拡径されたステム装着部１９ａが形成されており、このステム装着部１９ａにステム１２がその外周面を密着させた状態で装着される。これによって、スパウト部材１３は、肩カバー１６のスパウト摺動ガイド部１６ｄによって筒状壁２０を案内させた状態で、押圧ヘッド部１４からの押圧力によって、下方に押し下げられたり、押圧力の開放によって、バルブ内蔵部に設けられたバネの作用によって上方に押し上げられたりする。
【００２１】
そして、上述の構成を備える本実施形態のエアゾール付け替え容器１０によれば、ステム１４に装着されたスパウト部材１３に衝撃等によって過大な押圧力が加わっても、ステム１４が必要なストロークを超えて過度に押圧されたり、マウンテンカップ１７がスパウト部材１３の下端部によって強く押圧されて変形するのを効果的に回避することが可能になる。
【００２２】
すなわち、本実施形態によれば、環状凹部１７ｂに嵌め込まれる環状脚部１８ａと、環状脚部１８ａの上端部から内側に延設して中央円形台１７ｃの上面部のステム１２よりも外側部分を覆って配置される押圧規制張出部１８ｂとを備えるストローク規制部材１８が、マウンテンカップ１７に取り付けられているので、スパウト部材１３に過大な押圧力が加わって必要なストロークを超えてステム１４が過度に押圧されるのを、押圧規制張出部１８ｂに筒状壁２０の下端２０ａを当接させることで効果的に規制することが可能になる。これによって、従来のエアゾール付け替え容器のように、例えば筒状壁の下端が中央円形台の上面部に至るまで、必要なストロークを超えてステムが過度に押圧されるのを回避して、例えばステムにステムロックが発生して内容液を吐出させ続けることになるのを効果的に防止することが可能になる。
【００２３】
また、本実施形態によれば、マウンテンカップ１７の中央円形台１７ｃの上面部のステム１２よりも外側部分を覆って押圧規制張出部１８ｂが配置されているので、落下時の衝撃等によってスパウト部材１３に過大な押圧力が加わって、スパウト部材１３の下端（下端部）２０ａが中央円形台１７ｃに強く押し当てられた場合でも、このような衝撃荷重を押圧規制張出部１８ｂによって受け止めて、緩和した状態で中央円形台１７ｃに伝えることにより、マウンテンカップ１７が変形するのを効果的に回避することが可能になる。これによって、例えばステムにステムロックのを効果的に防止することが可能になる。
【００２４】
さらに、本実施液体では、ステムの押圧を規制するストローク規制部材１８は、破断可能なヒンジ結合部２１を介してステム１２を覆う保護キャップ２２と連結しているので、スパウト部材１３を付け替えるたびに、ストローク規制部材１８を取り替えることが可能になる。
【００２５】
図４は、本発明の好ましい他の実施形態に係るエアゾール付け替え容器３０の要部を示すものである。本他の実施形態のエアゾール付け替え容器３０は、上記実施形態のエアゾール付け替え容器１０と同様の構成を備えているが、ストローク規制部材１８に連結する保護キャップは取り付けられおらず、これに替えて、環状脚部１８ａの上端部の天面板部１８ｃから上方に立設して、ステム１２を囲う環状防護壁３１がステム１２を超える高さで環状脚部１８ａと同心状に配置されて設けられている。また、シュリンクフィルム３２が、環状防護壁３１の上端開口面を覆った状態で、容器本体１１及び環状防護壁３１の全体を一体として巻き込むようにして装着されている。
【００２６】
本他の実施形態に係るエアゾール付け替え容器３０によっても、容器３０の使用前に、環状防護壁３１及びシュリンクフィルム３２によって、バージン性を担保しつつステム１２を効果的に保護することが可能になると共に、容器３０の使用時には、スパウト部材１３が肩カバー１６と共に取り付けられて、上記実施形態のエアゾール付け替え容器１０と同様の作用効果が奏される。
【００２７】
なお、本発明は上記実施形態に限定されることなく種々の変更が可能である。例えば、環状脚部の上端部から上方に立設して、ステムを囲う環状防護壁を設けることに加えて、これらのステム及び環状防護壁を覆ってさらに保護キャップを回動可能に取り付けて、本発明のエアゾール付け替え容器とすることもできる。また、容器の全体をシュリンクフィルムによって覆って製品化する必要は必ずしもない。
【００２８】
図５（ａ）、（ｂ）は、ステムに装着されたスパウト部材に衝撃等によって過大な押圧力が加わっても、ステムが必要なストロークを超えて過度に押圧されるのを回避できるようにしたエアゾール付け替え容器の他の形態を例示するものである。図５（ａ）、（ｂ）に示すエアゾール付け替え容器４０では、スパウト部材４１の筒状壁４２と吐出ノズル部４３との交叉接合部分の角部内側に、ストローク規制リブ４４が、一体として設けられている。
【００２９】
図５（ａ）、（ｂ）に示すエアゾール付け替え容器４０では、スパウト部材４１の押圧ヘッド部４５が下方に押し下げられた際に、ストローク規制リブ４４の下端部が肩カバー４６の肩部４６ａの筒状壁４２と近接する部分の上面に当接することによって、ステム４７が必要なストロークを超えて過度に押圧されるのを規制できるようになっており、これによって例えばステム４７にステムロックが発生して、内容液を吐出させ続けることになるのを効果的に防止すること可能になる。
【符号の説明】
【００３０】
１０，３０  エアゾール付け替え容器
１１  容器本体
１２  ステム
１３  スパウト部材
１４  押圧ヘッド部
１５  吐出ノズル部
１５ａ  吐出口
１６  肩カバー
１７  マウンテンカップ
１７ａ  カール状接合部
１７ｂ  環状凹部
１７ｃ  中央円形台
１８  ストローク規制部材
１８ａ  環状脚部
１８ｂ  押圧規制張出部
１８ｃ  天面板部
１９  縦方向流路部
２０  筒状壁
２１ａ  ヒンジ結合部（薄肉ヒンジ部）
２２  保護キャップ
２３，３３  シュリンクフィルム
３１  環状防護壁
【図１】
0005562226.tif 000002
【図２】
0005562226.tif 000003
【図３】
0005562226.tif 000004
【図４】
0005562226.tif 000005
【図５】
0005562226.tif 000006